(57)【特許請求の範囲】
【請求項１】
無線通信ネットワークにおいて中央ネットワーク・エンティティによって動作可能な方法であって、
スペクトルの一次オペレータが、前記スペクトルの複数のチャネルのうちの第１のチャネルへアクセスする場合、前記第１のチャネルにおける途絶を識別することと、ここで、前記複数のチャネルのおのおのは、複数の二次オペレータのうちの１つに割り当てられる、
前記途絶中、前記複数のチャネルのうちの第１のチャネルで通信している１または複数の移動局を、前記複数のチャネルのうちの少なくとも１つの別のチャネルへ移動させることと、
前記第１のチャネルにおける途絶の終了に応じて、前記１または複数の移動局のおのおのを前記第１のチャネルへ戻すことと、
を備える方法。
【請求項２】
前記１または複数の移動局を移動させることは、前記途絶によって影響されない複数のチャネルにわたって前記移動局のおのおのを均一に分布させることを備える、請求項１に記載の方法。
【請求項３】
前記複数のチャネルのうちの少なくとも１つの別のチャネルは、前記複数のチャネルのうちの第１のチャネル以外のオペレータに割り当てられる、請求項１に記載の方法。
【請求項４】
前記複数のチャネルのうちの第１のチャネルで通信している基地局の少なくともサブセットを、前記複数のチャネルのうちの少なくとも１つの別のチャネルへ移動させること、をさらに備える請求項３に記載の方法。
【請求項５】
前記途絶によって影響されない複数のチャネルにわたって、前記基地局の少なくともサブセットを均一に分布させること、をさらに備える請求項４に記載の方法。
【請求項６】
前記途絶によって影響されない複数のチャネルの帯域幅をスケールすることによって、前記少なくとも１つの別のチャネルを生成すること、をさらに備える請求項１に記載の方法。
【請求項７】
前記途絶を識別することは、前記スペクトルの前記一次オペレータから、前記第１のチャネルを求める要求を受信することを備える、請求項１に記載の方法。
【請求項８】
前記１または複数の移動局を移動させることは、前記少なくとも１つの別のチャネルへ移動せよとのインジケーションを、前記移動局のおのおのへ送信することを備える、請求項１に記載の方法。
【請求項９】
前記中央ネットワーク・エンティティは、オペレーション、アドミニストレーション、およびメンテナンス（ＯＡＭ）サーバを備える、請求項１に記載の方法。
【請求項１０】
無線通信のための装置であって、
スペクトルの一次オペレータが、前記スペクトルの複数のチャネルのうちの第１のチャネルへアクセスする場合、前記第１のチャネルにおける途絶を識別することと、ここで、前記複数のチャネルのおのおのは、複数の二次オペレータのうちの１つに割り当てられる、
前記途絶中、前記複数のチャネルのうちの第１のチャネルで通信している１または複数の移動局を、前記複数のチャネルのうちの少なくとも１つの別のチャネルへ移動させることと、
前記第１のチャネルにおける途絶の終了に応じて、前記１または複数の移動局のおのおのを前記第１のチャネルへ戻すことと、
を実行するように構成された少なくとも１つのプロセッサと、
前記少なくとも１つのプロセッサに接続され、データを格納するためのメモリと、
を備える装置。
【請求項１１】
前記少なくとも１つのプロセッサはさらに、前記途絶によって影響されない複数のチャネルにわたって前記移動局のおのおのを均一に分布させるように構成された、請求項１０に記載の装置。
【請求項１２】
前記複数のチャネルのうちの少なくとも１つの別のチャネルは、前記複数のチャネルのうちの第１のチャネル以外のオペレータに割り当てられる、請求項１０に記載の装置。
【請求項１３】
前記少なくとも１つのプロセッサはさらに、前記複数のチャネルのうちの第１のチャネルで通信している基地局の少なくともサブセットを、前記複数のチャネルのうちの少なくとも１つの別のチャネルへ移動させるように構成された、請求項１２に記載の装置。
【請求項１４】
前記少なくとも１つのプロセッサはさらに、前記途絶によって影響されない複数のチャネルにわたって、前記基地局の少なくともサブセットを均一に分布させるように構成された、請求項１３に記載の装置。
【請求項１５】
無線通信のための装置であって、
スペクトルの一次オペレータが、前記スペクトルの複数のチャネルのうちの第１のチャネルへアクセスする場合、前記第１のチャネルにおける途絶を識別する手段と、ここで、前記複数のチャネルのおのおのは、複数の二次オペレータのうちの１つに割り当てられる、
前記途絶中、前記複数のチャネルのうちの第１のチャネルで通信している１または複数の移動局を、前記複数のチャネルのうちの少なくとも１つの別のチャネルへ移動させる手段と、
前記第１のチャネルにおける途絶の終了に応じて、前記１または複数の移動局のおのおのを前記第１のチャネルへ戻す手段と、を備える装置。
【請求項１６】
前記途絶によって影響されない複数のチャネルにわたって前記移動局のおのおのを均一に分布させる手段、をさらに備える請求項１５に記載の装置。
【請求項１７】
前記複数のチャネルのうちの少なくとも１つの別のチャネルは、前記複数のチャネルのうちの第１のチャネル以外のオペレータに割り当てられる、請求項１５に記載の装置。
【請求項１８】
コンピュータ読取可能な記憶媒体であって、
スペクトルの一次オペレータが、前記スペクトルの複数のチャネルのうちの第１のチャネルへアクセスする場合、前記第１のチャネルにおける途絶を識別することと、ここで、前記複数のチャネルのおのおのは、複数の二次オペレータのうちの１つに割り当てられる、
前記途絶中、前記複数のチャネルのうちの第１のチャネルで通信している１または複数の移動局を、前記複数のチャネルのうちの少なくとも１つの別のチャネルへ移動させることと、
前記第１のチャネルにおける途絶の終了に応じて、前記１または複数の移動局のおのおのを前記第１のチャネルへ戻すことと、
をコンピュータに実行させるためのコードを記憶したコンピュータ読取可能な記憶媒体。
【請求項１９】
前記コードはさらに、前記コンピュータに対して、前記途絶によって影響されない複数のチャネルにわたって前記移動局のおのおのを均一に分布させる、請求項１８に記載のコンピュータ読取可能な記憶媒体。
【請求項２０】
前記複数のチャネルのうちの少なくとも１つの別のチャネルは、前記複数のチャネルのうちの第１のチャネル以外のオペレータに割り当てられる、請求項１８に記載のコンピュータ読取可能な記憶媒体。
【発明の詳細な説明】
【関連出願に対する相互参照】
【０００１】
本特許出願は、本特許出願の譲受人に譲渡され本明細書において参照によってその全体が明確に組み込まれている２０１１年５月１３日出願の「周波数スペクトル共有のための方法および装置」（METHODS AND APPARATUSES FOR FREQUENCY SPECTRUM SHARING）と題された仮出願６１／４８６，２００に対する優先権を主張する。
【技術分野】
【０００２】
本開示の態様は、一般に、無線通信システムに関し、さらに詳しくは、周波数スペクトル共有のための強化に関する。
【背景技術】
【０００３】
無線通信ネットワークは、例えば音声、ビデオ、パケット・データ、メッセージング、ブロードキャスト等のようなさまざまな通信サービスを提供するために広く開発された。これら無線ネットワークは、使用可能なネットワーク・リソースを共有することにより、複数のユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。
【０００４】
無線通信ネットワークは、例えばユーザ機器（ＵＥ）またはアクセス端末（ＡＴ）のような多くの移動局、エンティティ、またはデバイスのための通信をサポートしうる、例えば基地局のような多くのネットワーク・エンティティを含みうる。移動局は、ダウンリンクおよびアップリンクを介して基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【０００５】
第３世代パートナシップ計画（３ＧＰＰ）ロング・ターム・イボリューション（ＬＴＥ）は、グローバル移動体通信システム（ＧＳＭ（登録商標））およびユニバーサル移動体通信システム（ＵＭＴＳ）の発展形として、セルラ技術における大きな進歩を表している。ＬＴＥ物理レイヤ（ＰＨＹ）は、例えばイボルブド・ノードＢ（ｅＮＢ）のような基地局と、例えばＵＥのようなモバイル・エンティティとの間で、データと制御情報との両方を伝送するための非常に効率的な手法を提供する。
【０００６】
無線通信ネットワークは、ラジオ周波数スペクトルの、許可された周波数帯域で通信しうる。しかしながら、これら周波数帯域のうちのいくつかは、現在の一次ライセンシ、一次ユーザ、または一次オペレータによって十分に利用されていないことがありうる。したがって、これら十分に利用されていない帯域は、一次オペレータによる帯域の使用との有害な干渉がない限りは、例えばセルラ・オペレータのような二次オペレータに利用可能とされうる。このコンテキストでは、二次オペレータのデバイスのためのサービス連続性を保証しながら、周波数帯域の一次オペレータの使用と干渉することなく、二次オペレータが、一次オペレータの周波数帯域にアクセスできるようにするスペクトル共有に対する強化に関するニーズがある。
【発明の概要】
【０００７】
以下は、１または複数の実施形態の基本的な理解を与えるために、そのような実施形態の簡略化された概要を示す。この概要は、考えられるすべての実施形態の広範囲な概観ではなく、すべての実施形態の重要要素や決定的要素を特定することも、何れかまたはすべての実施形態の範囲を線引きすることも意図されていない。その唯一の目的は、後述されるより詳細な記載に対する前置きとして、簡略化された形式で１または複数の実施形態のいくつかの概念を表すことである。
【０００８】
ここでは、二次オペレータのデバイスのためのサービス連続性を保証しながら、周波数帯域の一次オペレータの使用と干渉することなく、二次オペレータが、一次オペレータの周波数帯域にアクセスできるようにするスペクトル共有のための技術が記述される。
【０００９】
態様では、無線通信のための方法が開示される。スペクトルの複数のチャネルのうちの第１のチャネルにおける途絶が識別される。ここで、複数のチャネルのおのおのが、複数のオペレータのうちの１つに割り当てられる。途絶中、複数のチャネルのうちの第１のチャネルによって通信している移動局が、複数のチャネルのうちの少なくとも１つの別のチャネルへ移動される。
【００１０】
別の態様では、無線通信のための装置が開示される。この装置は、スペクトルの複数のチャネルのうちの第１のチャネルにおける途絶を識別する手段と、ここで、複数のチャネルのおのおのが、複数のオペレータのうちの１つに割り当てられる；途絶中、複数のチャネルのうちの第１のチャネルによって通信している移動局を、複数のチャネルのうちの少なくとも１つの別のチャネルへ移動させる手段と；を含む。
【００１１】
また別の態様では、無線通信のための装置が開示される。この装置は、スペクトルの複数のチャネルのうちの第１のチャネルにおける途絶を識別し、ここで、複数のチャネルのおのおのが、複数のオペレータのうちの１つに割り当てられる；途絶中、複数のチャネルのうちの第１のチャネルによって通信している移動局を、複数のチャネルのうちの少なくとも１つの別のチャネルへ移動させる；ように構成された少なくとも１つのプロセッサを含む。
【００１２】
また別の態様では、不揮発性のコンピュータ読取可能な媒体を含むコンピュータ・プログラム製品が提供される。不揮発性のコンピュータ読取可能な媒体は、少なくとも１つのコンピュータに対して、スペクトルの複数のチャネルのうちの第１のチャネルにおける途絶を識別させるためのコードと、ここで、複数のチャネルのおのおのが、複数のオペレータのうちの１つに割り当てられる；少なくとも１つのプロセッサに対して、途絶中、複数のチャネルのうちの第１のチャネルによって通信している移動局を、複数のチャネルのうちの少なくとも１つの別のチャネルへ移動させるためのコードと；を含む。
【００１３】
また別の態様では、無線通信のための方法が開示される。スペクトルの第１のチャネルで通信している間、第１のチャネルにおける途絶によって、スペクトルの第２のチャネルへ移動せよとのインジケーションが受信され、第１のチャネルから第２のチャネルへの移動がなされる。
【００１４】
また別の態様では、無線通信のための装置が開示される。この装置は、スペクトルの第１のチャネルで通信している間、第１のチャネルにおける途絶によって、スペクトルの第２のチャネルへ移動せよとのインジケーションを受信する手段と、第１のチャネルから第２のチャネルへ移動させる手段と、を含む。
【００１５】
また別の態様では、無線通信のための装置は、スペクトルの第１のチャネルで通信している間、第１のチャネルにおける途絶によって、スペクトルの第２のチャネルへ移動せよとのインジケーションを受信し、第１のチャネルから第２のチャネルへ移動させる、ように構成された少なくとも１つのプロセッサを含む。
【００１６】
また別の態様では、コンピュータ・プログラム製品は、不揮発性のコンピュータ読取可能な媒体を含む。不揮発性のコンピュータ読取可能な媒体は、少なくとも１つのコンピュータに対して、スペクトルの第１のチャネルで通信している間、第１のチャネルにおける途絶によって、スペクトルの第２のチャネルへ移動せよとのインジケーションを受信させるためのコードと、少なくとも１つのプロセッサに対して、第１のチャネルから第２のチャネルへ移動させるためのコードと、を含む。
【００１７】
前述した目的および関連する目的を達成するために、１または複数の実施形態は、以下に十分説明され、特に特許請求の範囲で指摘される特徴を含む。次の記載および添付図面は、１または複数の実施形態のある実例となる態様を詳細に記載する。しかしながら、これらの態様は、さまざまな実施形態の原理が適用されるさまざまな方法のうちの僅かしか示しておらず、記載された実施形態は、このような全ての局面およびそれらの均等物を示すことが意図されている。
【図面の簡単な説明】
【００１８】
【図１】図１は、１つの実施形態にしたがう多元接続無線通信システムを例示する。
【図２】図２は、通信システムのブロック図を例示する。
【図３】図３は、通信システムにおけるユーザ機器のダウンリンクにおける典型的な周波数移動の図解を例示する。
【図４】図４は、通信システムにおける帯域幅スケーリングを伴う基地局とユーザ機器のダウンリンクにおける典型的な周波数移動の図解を例示する。
【図５】図５は、通信システムにおける基地局およびユーザ機器のダウンリンクにおける典型的な周波数移動の図解を例示する。
【図６】図６は、無線通信のための処理のフロー・チャート表示である。
【図７】図７は、無線通信装置の一部分のブロック図表示である。
【図８】図８は、無線通信のための処理のフロー・チャート表示である。
【図９】図９は、無線通信装置の一部分のブロック図表示である。
【図１０】図１０は、周波数移動を容易にする電子構成要素の典型的なカップリングを例示する。
【図１１】図１１は、中央ネットワーク・エンティティ等において実行される周波数スペクトル共有のための方法の実施形態を例示する。
【図１２】図１２は、図１１の方法のさらなる態様を示す。
【図１３】図１３は、図１１の方法のさらなる態様を示す。
【図１４】図１４は、図１１−１３の方法にしたがう周波数スペクトル共有のための装置の実施形態を例示する。
【図１５】図１５は、無線ネットワークにおける中央ネットワーク・エンティティ（例えば、ＯＡＭサーバ等）として、または、中央ネットワーク・エンティティ内で使用するためのプロセッサまたは類似のデバイスとして構成されうる周波数スペクトル共有のための装置の実施形態を例示する。
【発明を実施するための形態】
【００１９】
添付図面とともに以下に説明する詳細説明は、さまざまな構成の説明として意図されており、本明細書に記載された概念が実現される唯一の構成を表すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。「典型的な」という用語は、本明細書では、「例、事例、あるいは例示として役立つ」ことを意味するために使用される。本明細書で「典型的」と記載された任意の態様または設計は、必ずしも、他の態様または設計に対して好適であるとも、有利であるとも解釈される必要はない。
【００２０】
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（ＷＣＤＭＡ（登録商標））、およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭＡ等のようなラジオ技術を実現する。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）およびＬＴＥ−アドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートナシップ計画」（３ＧＰＰ）と命名された団体からの文書に記載されている。ｃｄｍａ２０００およびＵＭＢは、「第３世代パートナシップ計画２」（３ＧＰＰ２）と命名された団体からの文書に記載されている。本明細書において記載された技術は、他の無線ネットワークおよびラジオ技術と同様に、前述された無線ネットワークおよびラジオ技術のために使用されうる。明確化のために、これら技術のある態様は、以下において、ＬＴＥに関して記載されており、ＬＴＥ用語が以下の説明の多くで使用される。
【００２１】
図１は、ＬＴＥネットワークでありうる無線通信ネットワーク１００を示す。無線ネットワーク１００は、多くのイボルブド・ノードＢ（ｅＮＢ）１１０およびその他のネットワーク・エンティティを含みうる。ｅＮＢは、ユーザ機器（ＵＥ）と通信する局であり、基地局、ノードＢ、アクセス・ポイント等とも称されうる。おのおののｅＮＢ１１０は、特定の地理的エリアのために通信有効通信範囲エリアを提供しうる。３ＧＰＰでは、用語「セル」は、この用語が使用されるコンテキストに依存して、この有効通信範囲エリアにサービス提供しているｅＮＢおよび／またはｅＮＢサブシステムからなる有効通信範囲エリアを称しうる。
【００２２】
ｅＮＢは、マクロ・セル、ピコ・セル、フェムト・セル、および／または、その他のタイプのセルのために、通信有効通信範囲を提供しうる。マクロ・セルは、比較的大きな地理的エリア（例えば、半径数キロメータ）をカバーし、サービス加入を持つＵＥによる無制限のアクセスを許可しうる。ピコ・セルは、比較的小さな地理的エリアをカバーし、サービス加入を持つＵＥによる無制限のアクセスを許可しうる。フェムト・セルは、比較的小さな地理的エリア（例えば、住宅）をカバーし、フェムト・セルとの関連を持つＵＥ（例えば、クローズド加入者グループ（ＣＳＧ）におけるＵＥ、住宅内のユーザのためのＵＥ等）によって制限されたアクセスを許可しうる。マクロ・セルのためのｅＮＢは、マクロｅＮＢと称されうる。ピコ・セルのためのｅＮＢは、ピコｅＮＢと称されうる。フェムト・セルのためのｅＮＢは、フェムトｅＮＢまたはホームｅＮＢと称されうる。図１に示す例では、ｅＮＢ１１０ａ，１１０ｂ，１１０ｃは、マクロ・セル１０２ａ，１０２ｂ，１０２ｃそれぞれのためのマクロｅＮＢでありうる。ｅＮＢ１１０ｘは、ピコ・セル１０２ｘのためのピコｅＮＢでありうる。そして、ｅＮＢ１１０ｙ，１１０ｚは、それぞれフェムト・セル１０２ｙ，１０２ｚのためのフェムトｅＮＢである。ｅＮＢは、１または複数（例えば３つ）のセルをサポートしうる。
【００２３】
無線ネットワーク１００はさらに、中継局をも含みうる。中継局は、データおよび／またはその他の情報の送信を上流局（例えば、ｅＮＢまたはＵＥ）から受信し、データおよび／またはその他の情報の送信を下流局（例えば、ＵＥまたはｅＮＢ）へ送信する局である。中継局はまた、他のＵＥのための送信を中継するＵＥでもありうる。図１に示す例では、中継局１１０ｒは、ｅＮＢ１１０ａとＵＥ１２０ｒとの間の通信を容易にするために、ｅＮＢ１１０ａおよびＵＥ１２０ｒと通信しうる。中継局はまた、リレーｅＮＢ、リレー等とも称されうる。
【００２４】
無線ネットワーク１００はまた、例えば、マクロｅＮＢ、ピコｅＮＢ、フェムトｅＮＢ、リレー等のような異なるタイプのｅＮＢを含むヘテロジニアスなネットワークでもありうる。これら異なるタイプのｅＮＢは、異なる送信電力レベル、異なる有効通信範囲エリア、および、無線ネットワーク１００内の干渉に対する異なるインパクトを有しうる。例えば、マクロｅＮＢは、高い送信電力レベル（例えば、２０ワット）を有する一方、ピコｅＮＢ、フェムトｅＮＢ、およびリレーは、低い送信電力レベル（例えば、１ワット）を有しうる。
【００２５】
無線ネットワーク１００は、同期動作または非同期動作を支援しうる。同期動作の場合、ｅＮＢは、同じようなフレーム・タイミングを有し、異なるｅＮＢからの送信は、時間的にほぼ同期しうる。非同期動作の場合、ｅＮＢは、異なるフレーム・タイミングを有し、異なるｅＮＢからの送信は、時間的に同期しない場合がある。ここに記載された技術は、同期動作および非同期動作の両方のために使用されうる。
【００２６】
無線ネットワーク１００は、スペクトルまたは周波数帯域で動作しうる。例えば、無線ネットワーク１００のオペレータは、スペクトルの一次ライセンシ、すなわち、例えば政府エンティティ、都市エンティティ、または商用エンティティのような一次オペレータまたはユーザでありうる。あるいは、無線ネットワーク１００のオペレータは、スペクトルの二次オペレータまたはユーザでありうる。例えば、ライセンスされたスペクトルを十分に利用していない一次オペレータによって、例えばセルラ・ネットワークのような多くの二次オペレータが、許可済共有アクセス（ＡＳＡ：authorized shared access）と称されうる、十分に利用されていないスペクトルの一部またはすべてにアクセスできるようになりうる。二次オペレータは、一次オペレータによる使用中のスペクトルの一部を空けることを要求されうる。一例では、二次オペレータはおのおの、周波数帯域のチャネルを割り当てられうる。これは、二次オペレータ間の調整をほとんど、または、まったく必要としない。あるいは、二次オペレータのすべてが、周波数帯域のスペクトル全体を共有しうる。スペクトルを共有する１つの理由は、トランキング効果、すなわち、（地理的位置または時間の何れかにおいて）他のオペレータのホワイト・スペースを利用することを含みうる。有効通信範囲がすでに別の周波数において解決されていると仮定されうる。例えば、ピコ・セルは、十分な密度を有していない場合がありうる。したがって、使用されていない「スペース」が存在しうる。これは、位置および／または時間において相関付けられた使用パターンによってオフセットされうる。
【００２７】
スペクトルを共有する別の理由は、スペクトルの周波数の利用可能性でありうる。例えば、一次オペレータが周波数帯域においてアクティブである期間、二次オペレータは、一次オペレータによって使用される周波数の一部、すなわちチャネルを空けなければならない。したがって、一次オペレータが、特定のチャネルにおいてアクティブである場合、いくつかの二次オペレータは、これら特定のチャネルにおけるサービス途絶を経験しうる。一方、別のチャネルにおける二次オペレータは、同じ期間中、サービス途絶を経験しないかもしれない。したがって、途絶が特定のチャネルで生じる場合、このチャネルで動作しているデバイスは、例えば、別の二次オペレータに割り当てられたチャネルのように、好適には一次オペレータによって使用されていない別のチャネルまたは周波数へ移動されうる。これによって、これらオペレータのすべてにわたって途絶を効率的に平滑化する。このように、二次オペレータのすべてのデバイスのために、すべての期間にわたって、サービス連続性が提供されうる。別の例では、二次オペレータは、非途絶期間中、割り当てられたチャネルで動作しうる。すなわち、どのスペクトルも、一次オペレータによって利用されない。しかしながら、二次オペレータは、途絶期間中、スペクトル全体を共有しうる。例えば、途絶期間中、インパクトを受けたオペレータは、ユーザを、別のオペレータのチャネルへ移動させうる。周波数ネットワーク移動のための技術が、以下の図３−１５において記述されている。
【００２８】
二次オペレータが、途絶期間中および非途絶期間中、スペクトル全体を共有する例では、チャネル割当がない場合がありうる。すなわち、何れかのオペレータが、利用可能な任意のＡＳＡ周波数を使用しうる。この例では、二次オペレータは、１より多くのＡＳＡチャネルが利用可能である場合、動的な周波数選択を利用しうる。別の例では、オペレータは、調整されたマクロ構成、および、調整されていない追加のピコ／フェムト構成を実施しうる。この例では、ピコ／フェムト基地局は、利用可能な任意のＡＳＡチャネルを使用しうる。マクロを保護するメッセージングのための共通の手順およびインタフェースを提供するために、ヘテロジニアスなネットワーク（ＨｅｔＮｅｔ）方法が使用されうる。
【００２９】
ネットワーク・コントローラ１３０は、ｅＮＢのセットに接続されており、これらｅＮＢのための調整および制御を提供しうる。ネットワーク・コントローラ１３０は、バックホールを介してｅＮＢ１１０と通信しうる。ｅＮＢ１１０はまた、例えば、ダイレクトに、または、無線または有線のバックホールを介して非ダイレクトに、互いに通信しうる。例えば、一次オペレータがチャネルで動作することによって、チャネルに途絶が生じ、二次オペレータのｅＮＢ１１０が、このチャネルまたは周波数を空けなければならない場合、ｅＮＢ１１０は、途絶およびチャネル移動を示すインジケーションをバックホールを介して受信しうる。
【００３０】
無線ネットワーク１００の全体にわたって、多くのＵＥ１２０が分布しうる。そして、おのおののＵＥは、固定式または移動式でありうる。ＵＥは、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、タブレット等でありうる。ＵＥは、マクロｅＮＢ、ピコｅＮＢ、フェムトｅＮＢ、リレー等と通信することができうる。図１では、両矢印を持つ実線が、ＵＥと、ダウンリンクおよび／またはアップリンクでＵＥにサービス提供するように指定されたｅＮＢであるサービス提供ｅＮＢとの間の所望の送信を示す。両矢印を持つ破線は、ＵＥとｅＮＢとの間の干渉送信を示す。
【００３１】
ＬＴＥは、ダウンリンクで周波数分割多重化（ＯＦＤＭ）を、アップリンクでシングル・キャリア周波数分割多重化（ＳＣ−ＦＤＭ）を利用する。ＯＦＤＭおよびＳＣ−ＦＤＭは、システム帯域幅を、一般にトーン、ビン等とも称される複数（Ｋ個）の直交サブキャリアに分割する。おのおののサブキャリアは、データとともに変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（Ｋ個）は、システム帯域幅に依存しうる。例えば、サブキャリアの間隔は、１５ｋＨｚでありうり、（「リソース・ブロック」と呼ばれる）最小リソース割当は、１２サブキャリア（すなわち、１８０ｋＨｚ）でありうる。その結果、ノミナルＦＦＴサイズは、１．４，３，５，１０，または２０メガヘルツ（ＭＨｚ）のシステム帯域幅についてそれぞれ１２８，２５６，５１２，１０２４，または２０４８に等しくなりうる。システム帯域幅はまた、サブ帯域へ分割されうる。例えば、サブ帯域は、１．０８ＭＨｚ（すなわち、６つのリソース・ブロック）をカバーし、１．４，３，５，１０，２０ＭＨｚのシステム帯域幅についてそれぞれ１，２，４，８，１６のサブ帯域が存在しうる。
【００３２】
図２は、図１における基地局／ｅＮＢのうちの１つ、およびＵＥのうちの１つでありうる、基地局／ｅＮＢ１１０とＵＥ１２０との設計のブロック図を示す。制約された関連性のシナリオの場合、基地局１１０は、図１におけるマクロｅＮＢ１１０ｃでありうる。そして、ＵＥ１２０は、ＵＥ１２０ｙでありうる。基地局１１０はさらに、その他いくつかのタイプの基地局でもありうる。基地局１１０は、Ｔ個のアンテナ２３４ａ乃至２３４ｔを備え、ＵＥ１２０は、Ｒ個のアンテナ２５２ａ乃至２５２ｒを備えうる。ここで、一般に、Ｔ≧１およびＲ≧１である。
【００３３】
ＵＥ１２０では、送信プロセッサ２２０が、データ・ソース２１２からデータを、コントローラ／プロセッサ２４０から制御情報を受信し、これらを処理しうる。送信プロセッサ２２０は、データおよび制御情報を処理（例えば、符号化、インタリーブ、およびシンボル・マップ）し、データ・シンボルおよび制御シンボルをそれぞれ提供しうる。送信プロセッサ２２０はまた、ＵＥ１２０に割り当てられた１または複数のＲＳシーケンスに基づいて、複数の非隣接クラスタのための１または複数の復調基準信号を生成し、基準シンボルを提供しうる。送信（ＴＸ）複数入力複数出力（ＭＩＭＯ）プロセッサ２３０は、適用可能であれば、送信プロセッサ２２０からの基準シンボル、制御シンボル、および／または、データ・シンボルに空間処理（例えば、プリコーディング）を実行し、Ｔ個の出力シンボル・ストリームをＴ個の変調器（ＭＯＤ）２３２ａ乃至２３２ｔに提供しうる。おのおのの変調器２３２は、（例えば、ＳＣ−ＦＤＭＡ、ＯＦＤＭ等のために）それぞれの出力シンボル・ストリームを処理して、出力サンプル・ストリームを得る。おのおのの変調器２３２はさらに、出力サンプル・ストリームを処理（例えば、アナログ変換、増幅、フィルタ、およびアップコンバート）し、アップリンク信号を取得する。変調器２３２ａ乃至２３２ｔからのＴ個のアップリンク信号は、Ｔ個のアンテナ２３４ａ乃至２３４ｔによってそれぞれ送信されうる。
【００３４】
基地局１１０では、アンテナ２５２ａ乃至２５２ｒが、ＵＥ１２０からアップリンク信号を受信し、受信した信号を、復調器（ＤＥＭＯＤ）２５４ａ乃至２５４ｒにそれぞれ提供しうる。おのおのの復調器２５４は、受信されたそれぞれの信号を調整（例えば、フィルタ、増幅、ダウンコンバート、およびデジタル化）して、受信されたサンプルを取得しうる。おのおのの復調器２５４はさらに、これら受信されたサンプルを処理して、受信シンボルを取得しうる。チャネル・プロセッサ／ＭＩＭＯ検出器２５６は、Ｒ個の復調器２５４ａ乃至２５４ｒのすべてから、受信シンボルを取得しうる。チャンネル・プロセッサ２５６は、ＵＥ１２０から受信した復調基準信号に基づいて、ＵＥ１２０から基地局１１０への無線チャネルのためのチャネル推定値を導出しうる。ＭＩＭＯ検出器２５６は、これら受信シンボルに対して、チャネル推定値に基づいてＭＩＭＯ検出／復調を実行し、検出されたシンボルを提供しうる。受信プロセッサ２５８は、検出されたシンボルを処理（例えば、シンボル・デマップ、デインタリーブ、および復号）し、復号されたデータをデータ・シンク２６０に提供し、復号された制御情報をコントローラ／プロセッサ２８０へ提供しうる。
【００３５】
ダウンリンクでは、基地局１１０において、データ・ソース２６２からのデータと、コントローラ／プロセッサ２８０からの制御情報とが、送信プロセッサ２６４によって処理され、適用可能であればＴＸ  ＭＩＭＯプロセッサ２６６によってプリコードされ、変調器２５４ａ乃至２５４ｒによって調整され、ＵＥ１２０へ送信されうる。ＵＥ１２０では、基地局１１０からのダウンリンク信号が、アンテナ２３４によって受信され、復調器２３２によって調整され、チャネル推定器／ＭＩＭＯ検出器２３６によって処理され、さらに、受信プロセッサ２３８によって処理されて、ＵＥ１２０へ送信されたデータおよび制御情報が取得される。プロセッサ２３８は、復号されたデータをデータ・シンク２３９へ提供し、復号された制御情報をコントローラ／プロセッサ２４０へ提供しうる。
【００３６】
コントローラ／プロセッサ２４０，２８０は、ＵＥ１２０および基地局１１０それぞれにおける動作を指示しうる。ＵＥ１２０におけるプロセッサ２２０、プロセッサ２４０、および／または、その他のプロセッサおよびモジュールもまた、図８における処理８００、および／または、本明細書に記載された技術のためのその他の処理の実行または指示を行いうる。メモリ２４２，２８２は、ＵＥ１２０および基地局１１０それぞれのためのデータおよびプログラム・コードを格納しうる。スケジューラ２８４は、ダウンリンクおよび／またはアップリンクでの送信のためにＵＥをスケジュールしうる。そして、スケジュールされたＵＥのために、リソースの割当（例えば、複数の不連続クラスタの割当、復調基準信号のためのＲＳシーケンス等）を提供しうる。
【００３７】
図３は、通信システムにおけるダウンリンクにおける典型的な周波数移動の図解３００を例示する。ここでは、例えば、ＡＳＡスペクトルの一部に一次オペレータがアクセスすることによって引き起こされるサービス途絶のようなサービス途絶が生じた場合にのみ、ＵＥ１２０が移動される。図３は、一次オペレータがスペクトル３１０においてアクティブではない場合における二次オペレータ、すなわち、パブリック・ランド・モバイル・ネットワーク（ＰＬＭＮ）オペレータのＵＥ１２０とｅＮＢ１１０との間のＡＳＡスペクトルの周波数割当と、一次オペレータがスペクトル３２０においてアクティブである場合におけるＡＳＡスペクトルの周波数割当と、を例示する。図３に図示されるように、一次オペレータが、ＰＬＭＮ３によって利用されるスペクトルの一部でアクティブである間、ＰＬＭＮ３のｅＮＢ１１０は、使用されず、ＰＬＭＮ３のＵＥ１２０は、例えば、ＰＬＭＮ１およびＰＬＭＮ２に割り当てられたチャネルにように、途絶によって影響されない周波数スペクトルの部分へ移動される。したがって、図３は、アクセス制御における一時的な変化を伴うスペクトル共有（ブロックＤモデル）を例示する。ＰＬＭＮ３のＵＥ１２０は、例えば図３においてＰＬＭＮ１およびＰＬＭＮ２に割り当てられたチャネルのような利用可能なすべてのチャネルにわたって均一に分布しうる。しかしながら、図３に例示されるように、ＰＬＭＮ３のｅＮＢは利用されず、これによって、途絶によって使用されるインフラストラクチャ・ハードウェア・リソースが浪費される。
【００３８】
図４は、通信システムにおけるダウンリンクにおける典型的な周波数移動の図解４００を例示する。ここでは、ＵＥ１２０およびｅＮＢ１１０が、例えば、ＡＳＡスペクトルの一部に一次オペレータがアクセスすることによって引き起こされるサービス途絶のようなサービス途絶が生じると、帯域幅スケーリングを用いて移動される。図４は、一次オペレータがスペクトル４１０においてアクティブではない場合における、二次オペレータ、すなわち、パブリック・ランド・モバイル・ネットワーク（ＰＬＭＮ）オペレータのＵＥ１２０とｅＮＢ１１０と間のＡＳＡスペクトルの周波数割当と、一次オペレータがスペクトル４２０においてアクティブである場合におけるＡＳＡスペクトルの周波数割当と、を例示する。図４に図示されるように、ＰＬＭＮ３によって利用されるスペクトルの一部において一次オペレータがアクティブである間、ＰＬＭＮ３のＵＥ１２０およびｅＮＢ１１０は、途絶によって影響されない周波数スペクトルの一部、例えば、ＰＬＭＮ１およびＰＬＭＮ２に割り当てられたチャネルの一部を割り当てられる。この周波数移動の方法は、例えば、ｅＮＢ１１０が十分にコロケート（co-locate）されていない場合、ネットワーク容量を増加させうる。ｅＮＢ１１０は、周波数アジリティ（agility）（ゆっくりとした変化のみが必要とされる）をサポートしうる。
【００３９】
１つの例において、ＰＬＭＮ３は、利用可能な帯域幅を線形的にマッチさせるために、途絶によって影響されない二次オペレータのチャネルのすべてを圧縮することによってチャネルを割り当てられうる。例えば、４つの二次オペレータおのおのに、２０ＭＨｚのスペクトルが割り当てられ、一次オペレータが、２０ＭＨｚのスペクトルでアクティブである場合、４つの二次オペレータに、１５ＭＨｚのスペクトル、すなわち、４によって除された、一次オペレータによって使用されない６０ＭＨｚのスペクトル、が再割当される。各二次オペレータのｅＮＢ１１０およびＵＥ１２０は、必要であれば、各二次オペレータに割り当てられたスペクトルの圧縮された部分に移動されうる。この周波数移動の典型的な方法は、コロケートされたケースとコロケートされていないケースとの両方のために機能する。しかしながら、この典型的な方法では、サポートされているチャネル帯域幅オプションのセットを考慮することが必要とされうる。
【００４０】
図５は、通信システムにおけるダウンリンクにおける典型的な周波数移動の図解５００を例示する。ここでは、ＵＥ１２０およびｅＮＢ１１０は、例えば、一次オペレータがＡＳＡスペクトルの一部にアクセスすることによって引き起こされるサービス途絶のようなサービス途絶があった場合、帯域幅スケーリングを用いることなく移動される。図５は、一次オペレータがスペクトル５１０においてアクティブではない場合における、二次オペレータ、すなわち、パブリック・ランド・モバイル・ネットワーク（ＰＬＭＮ）オペレータのＵＥ１２０とｅＮＢ１１０と間のＡＳＡスペクトルの周波数割当と、一次オペレータがスペクトル５２０においてアクティブである場合における、ＡＳＡスペクトルの周波数割当と、を例示する。図５に図示されるように、一次オペレータが、ＰＬＭＮ３によって利用されるスペクトルの一部でアクティブである間、ＰＬＭＮ３のＵＥ１２０およびｅＮＢ１１０は、帯域幅割当を変更することなく、途絶によって影響されない周波数スペクトルの一部に移動される。例えば、ＰＬＭＮ１およびＰＬＭＮ２に割り当てられたチャネルへ移動される。ＰＬＭＮ３のｅＮＢ１１０およびＵＥ１２０は、例えば、図５におけるＰＬＭＮ１およびＰＬＭＮ２に割り当てられたチャネルのような、利用可能なすべてのチャネルにわたって均一に分布しうる。ｅＮＢ１１０は、周波数アジリティ（agility）（ゆっくりとした変化のみが必要とされる）をサポートしうる。
【００４１】
この周波数移動の例では、同じ周波数におけるｅＮＢ１１０の数が増加されうる。途絶中、別のアクセス方法が利用されうる。例えば、このシステムは、相互のオープンなアクセスおよびハンドオーバを可能にしうるラジオ・アクセス・ネットワーク（ＲＡＮ）共有を利用しうる。ＲＡＮ共有は、十分にコロケートされていない場合においてより効果的に動作しうる。あるいは、このアクセス方法は、例えば、マクロ間でのＨｅｔＮｅｔタイプの時間分割のような、クローズド・スペクトル共有でありうる。クローズド・スペクトル共有は、コロケートされたケースとコロケートされていないケースとの両方において有効でありうる。しかしながら、クローズド・スペクトル共有は、コロケートされていないケースにおいてのみゲインを与えうる。
【００４２】
図６は、無線通信方法６００のフロー・チャート表示である。ボックス６０２では、スペクトルの複数のチャネルのうちの第１のチャネルにおける途絶が識別される。ここでは、複数のチャネルのうちのおのおののチャネルが、複数のオペレータのうちの１つに割り当てられる。１または複数の実施形態では、第１のチャネルへアクセスせよとの要求を一次オペレータから受信すること、第１のチャネルにおける一次オペレータの存在を検出すること、または、チャネルがもはや利用可能ではないことを検出することによって、第１のチャネルにおける途絶が識別されうる。
【００４３】
ボックス６０４では、複数のチャネルのうちの第１のチャネルで通信している移動局１２０が、途絶中に、複数のチャネルのうちの少なくとも１つの別のチャネルへと移動される。一例では、少なくとも１つの別のチャネルが、複数のチャネルのうちの第１のチャネル以外の二次オペレータへ割り当てられうる。別の例では、例えば、別の二次オペレータのチャネルのように、途絶によって影響されないスペクトルの複数のチャネルにわたって、移動局１２０が均一に分布されうる。例えば、移動局１２０は、少なくとも１つの別のチャネルへ移動せよ、すなわち、少なくとも１つの別のチャネルの周波数で動作せよとの、例えば制御信号のようなインジケーションを受信しうる。図４および図５で議論されたように、第１のチャネルで通信している基地局１１０もまた、少なくとも１つの別のチャネルへ移動されうる。基地局１１０もまた、途絶によって影響されないスペクトルの複数のチャネルにわたって均一に分布しうる。例えば、基地局１１０は、少なくとも１つの別のチャネルへ移動せよ、すなわち、少なくとも１つの別のチャネルの周波数で動作せよとのインジケーションを、バックホールを介して受信しうる。移動局１２０および基地局１１０は、第１のチャネルにおける途絶が終了した場合、第１のチャネルへ戻されうる。
【００４４】
あるいは、または、それに加えて、この少なくとも１つの別のチャネルは、途絶によって影響されないスペクトルの複数のチャネルの帯域幅を線形的にスケールすることによって生成されうる。その後、第１のチャネルによって通信している移動局１２０および基地局１１０は、生成された少なくとも１つのチャネルへ移動され、必要であれば、影響されないチャネルで以前に動作していた移動局１２０および基地局１１０が、スケールされたチャネルの周波数帯域へ移動されうる。
【００４５】
図７は、無線通信装置７００の一部分のブロック図表示である。モジュール７０２は、スペクトルの複数のチャネルのうちの第１のチャネルにおける途絶を識別するために提供される。ここでは、複数のチャネルのおのおのが、複数のオペレータのうちの１つに割り当てられる。１または複数の実施形態では、第１のチャネルへアクセスせよとの要求を一次オペレータから受信すること、第１のチャネルにおける一次オペレータの存在を検出すること、または、チャネルがもはや利用可能ではないことを検出することによって、第１のチャネルにおける途絶が識別されうる。
【００４６】
モジュール７０４は、途絶中、複数のチャネルのうちの第１のチャネルで通信している移動局を、複数のチャネルのうちの少なくとも１つの別のチャネルへ移動させるために提供される。態様では、第１のチャネルによって通信している基地局１２０もまた、少なくとも１つの別のチャネルへ移動されうる。移動局１１０および基地局１１０は、第１のチャネルにおける途絶が終了した場合、第１のチャネルへ戻されうる。
【００４７】
図８は、無線通信方法８００のフロー・チャート表示である。ボックス８０２では、スペクトルの第１のチャネルで通信している間、第１のチャネルにおける途絶によって、スペクトルの第２のチャネルへ移動せよとのインジケーションが受信される。このインジケーションは、基地局１１０または移動局１２０によって受信されうる。例えば、基地局１１０は、少なくとも１つの別のチャネルへ移動せよ、すなわち、少なくとも１つの別のチャネルの周波数で動作せよとのインジケーションをバックホールを介して受信しうる。あるいは、移動局１２０は、少なくとも１つの別のチャネルへ移動せよ、すなわち、少なくとも１つの別のチャネルの周波数で動作せよとの、例えば制御信号のようなインジケーションを受信しうる。あるいは、または、それに加えて、移動局１２０および／または基地局１１０は、インジケーションを受信することなく、第１のチャネルにおける途絶を動的に検出しうる。１または複数の実施形態では、第１のチャネルへアクセスせよとの要求を一次オペレータから受信すること、第１のチャネルにおける一次オペレータの存在を検出すること、または、チャネルがもはや利用可能ではないことを検出することによって、第１のチャネルにおける途絶が識別されうる。
【００４８】
ボックス８０４では、第１のチャネルから第２のチャネルへの移動が生じる。例えば、移動局１２０または基地局１１０は、例えば、第２のチャネルの周波数で動作することによって第２のチャネルへ移動しうる。移動局１２０または基地局１１０は、第１のチャネルにおける途絶が終了した場合、第１のチャネルへ戻りうる。一例において、第１のチャネルは、第２のチャネル以外のオペレータに割り当てられうる。別の例において、第２のチャネルは、途絶によって影響されないスペクトルのチャネルからの帯域幅を再割当することによって生成されうる。
【００４９】
図９は、無線通信装置９００の一部のブロック図表示である。モジュール９０２は、スペクトルの第１のチャネルで通信している間、第１のチャネルにおける途絶によって、スペクトルの第２のチャネルへ移動せよとのインジケーションを受信するために提供される。モジュール９０４は、第１のチャネルから第２のチャネルへ移動するために提供される。
【００５０】
図１０は、周波数移動を容易にするシステム１０００のブロック図である。システム１０００は、プロセッサ、ソフトウェア、または（例えば、ファームウェアのような）これらの組み合わせによって実現される機能を表しうる。ここで、システム１０００は、連携して動作しうる電子構成要素の論理グループ１００２を含む。例示されるように、論理グループ１００２は、スペクトルの第１のチャネルで通信している間、第１のチャネルにおける途絶によって、スペクトルの第２のチャネルへ移動せよとのインジケーションを受信するための電子構成要素１０１０のみならず、第１のチャネルから第２のチャネルへ移動させるための電子構成要素１０１２を含みうる。さらに、システム１０００は、電子構成要素１０１０，１０１２に関連付けられた機能を実行するための命令群を保持するメモリ１０２０を含みうる。ここで、電子構成要素１０１０，１０１２のうちの何れかは、メモリ１０２０内に、またはメモリ１０２０外に存在しうる。
【００５１】
本明細書に記載された実施形態の１または複数の態様によれば、周波数スペクトル共有のための方法が提供される。図１１を参照して、例えばオペレーション、アドミニストレーション、およびメンテナンス（ＯＡＭ）サーバ等のような中央ネットワーク・エンティティにおいて実行されうる方法１１００が例示される。この方法１１００は、１１１０において、スペクトルの複数のチャネルのうちの第１のチャネルにおける途絶を識別することを含みうる。ここでは、複数のチャネルのおのおのが、複数のオペレータのうちの１つに割り当てられる。この方法１１００は、１１２０において、途絶中、複数のチャネルのうちの第１のチャネルで通信しているすべての移動局（例えばＵＥ）を、複数のチャネルのうちの少なくとも１つの別のチャネルへ移動させることを含みうる。
【００５２】
図１２−１３を参照して、オプションであって、周波数スペクトル共有のために中央ネットワーク・エンティティによって実行されうる方法１１００のさらなる動作または態様が示される。図１２−１３に図示されるブロックは、方法１１００を実行するために必要とされておらず、各ブロックは、自立しうることが注目される。方法１１００が、図１２−１３のうちの少なくとも１つのブロックを含んでいる場合、方法１１００は、例示されうるその後のどのダウンストリーム・ブロック（単数または複数）をも含んでいる必要は必ずしもなく、少なくとも１つのブロック後に終了しうる。例えば、図１２に示すように、移動局のすべてを移動させること（ブロック１１２０）は、途絶によって影響されない複数のチャネルにわたって移動局のおのおのを均一に分布させること（ブロック１１３０）を含みうる。
【００５３】
一例において、複数のチャネルのうちの少なくとも１つの別のチャネルは、複数のチャネルのうちの第１のチャネル以外のオペレータへ割り当てられうる（ブロック１１４０）。方法１１００はさらに、複数のチャネルのうちの第１のチャネルで通信している移動局の少なくともサブセットを、複数のチャネルのうちの少なくとも１つの別のチャネルへ移動させること（ブロック１１４２）を含みうる。この方法１１００はさらに、途絶によって影響されない複数のチャネルにわたって基地局の少なくともサブセットを均一に分布させること（ブロック１１４４）を含みうる。
【００５４】
図１３に示すように、この方法１１００はさらに、途絶によって影響されない複数のチャネルの帯域幅をスケールすることによって、少なくとも１つの別のチャネルを生成すること（ブロック１１５０）を含みうる。この方法１１００はさらに、第１のチャネルにおける途絶の終了に応じて、移動局のおのおのを第１のチャネルへ戻すこと（ブロック１１６０）を含みうる。途絶を識別すること（ブロック１１１０）は、スペクトルの一次オペレータから、第１のチャネルを求める要求を受信すること（ブロック１１７０）を含みうる。移動局のすべてを移動させること（ブロック１１２０）は、少なくとも１つの別のチャネルへ移動せよとのインジケーションを、移動局のおのおのへ送信すること（ブロック１１８０）を含みうる。中央ネットワーク・エンティティは、ＯＡＭサーバ等でありうる（ブロック１１９０）。
【００５５】
本明細書に記載された実施形態の１または複数の態様にしたがって、図１１−１３を参照して前述したように、周波数スペクトル共有のためのデバイスおよび装置が提供される。図１４に示すように、無線通信ネットワーク１４００における中央ネットワーク・エンティティ１４２０である典型的な装置が提供される。中央ネットワーク・エンティティ１４２０は、基地局１１０（例えば、ｅＮＢ等）と有効に通信する別の中央ネットワーク・エンティティ１４２０’と有効に通信しうる。基地局１１０は、移動局１２０（例えば、ＵＥ等）と有効に通信しうる。代案では、または、それに加えて、中央ネットワーク・エンティティ１４２０は、基地局とダイレクトに通信しうる（図示せず）。代案では、または、それに加えて、中央ネットワーク・エンティティ１４２０は、移動局１２０とダイレクトに通信しうる。
【００５６】
関連する態様では、中央ネットワーク・エンティティ１４２０は、基地局１１０および／または別の中央ネットワーク・エンティティ１４２０’と通信するネットワーク・インタフェース・モジュール１４１５を含みうる。ネットワーク・インタフェース１４１５は、中央ネットワーク・エンティティ１４２０および／またはその構成要素の動作を指示するコントローラ／プロセッサ・モジュール１４１０に接続されうる。コントローラ／プロセッサ・モジュール１４１０は、中央ネットワーク・エンティティ１４２０のためのデータおよびプログラム・コードを格納するメモリ１４１６に接続されうる。ネットワーク・インタフェース・モジュール１４１５は、データ・シンク１４３０にデータを提供するため、および、コントローラ／プロセッサ・モジュール１４１０に制御情報を提供するための受信機構成要素（図示せず）を含みうる。中央ネットワーク・エンティティ１４２０はさらに、ネットワーク・インタフェース１４１５の送信機構成要素（図示せず）に接続されたデータ・ソース１４４０を含みうる。
【００５７】
さらに関連する態様では、中央ネットワーク・エンティティ１４２０は、オプションとして、移動局１２０と通信するためのセルラまたは無線広域ネットワーク（ＷＷＡＮ）ラジオ・モジュール１４１４を含みうる。ＷＷＡＮラジオ・モジュール１４１４は、図２の右手側に示された基地局１１０の１または複数の構成要素を含みうる。ＷＷＡＮラジオ・モジュール１４１４は、コントローラ／プロセッサ・モジュール１４１０、データ・シンク１４３０、および／または、データ・ソース１４４０に接続されうる。
【００５８】
さらに関連する態様では、コントローラ／プロセッサ・モジュール１４１０は、スペクトルの複数のチャネルのうちの第１のチャネルにおける途絶を識別し、ここでは、複数のチャネルのおのおのが、複数のオペレータのうちの１つに割り当てられる；途絶中、複数のチャネルのうちの第１のチャネルで通信しているすべての移動局を、複数のチャネルのうちの少なくとも１つの別のチャネルへ移動させる；ように構成されうる。代案では、または、それに加えて、コントローラ／プロセッサ・モジュール１４１０は、このような動作を実行するように中央ネットワーク・エンティティ１４２０のその他の構成要素に指示しうる。さらに関連する態様では、メモリ１４１６は、中央ネットワーク・エンティティ１４２０の構成要素のうちの１または複数による、図１１−１３に図示されるブロックのうちの１または複数の動作を容易にするためのコード、データ、または命令群を含みうる。
【００５９】
図１５を参照して、無線ネットワークにおける中央ネットワーク・エンティティ（例えば、ＯＡＭサーバ等）として、あるいは、中央ネットワーク・エンティティ内で使用するためのプロセッサまたは類似のデバイスとして構成されうる典型的な装置１５００が提供される。装置１５００は、プロセッサ、ソフトウェア、またはこれらの組み合わせ（例えば、ファームウェア）によって実現される機能を表す機能ブロックを含みうる。
【００６０】
例示されるように、１つの実施形態では、装置１５００は、スペクトルの複数のチャネルのうちの第１のチャネルにおける途絶を識別するための電子構成要素１５０２を備えうる。ここでは、複数のチャネルのおのおのが、複数のオペレータのうちの１つに割り当てられる。例えば、電子構成要素１５０２は、周波数スペクトル共有のための命令群を備えるメモリまたはネットワーク・インタフェース等に接続された少なくとも１つの制御プロセッサを含みうる。電子構成要素１５０２は、スペクトルの複数のチャネルのうちの第１のチャネルにおける途絶を識別する手段でありうるか、この手段を含みうる。ここでは、複数のチャネルのおのおのが、複数のオペレータのうちの１つに割り当てられる。前述した手段は、アルゴリズムを実行している少なくとも１つの制御プロセッサ（例えば、図１４のコントローラ／プロセッサ１４１０）でありうるか、これを含みうる。このアルゴリズムは、例えば、図１１−１３またはその派生にしたがって、移動局および／またはその他のネットワーク・エンティティから受信したデータを分析し比較することを含みうる。
【００６１】
装置１５００は、途絶中、複数のチャネルのうちの第１のチャネルで通信しているすべての移動局を、複数のチャネルのうちの少なくとも１つの別のチャネルへ移動させるための電子構成要素１５０４を備えうる。例えば、電子構成要素１５０４は、ネットワーク・インタフェース等およびＷＷＡＮラジオ・モジュール等に接続された少なくとも１つの制御プロセッサを含みうる。電子構成要素１５０４は、途絶中、複数のチャネルのうちの第１のチャネルで通信しているすべての移動局を、複数のチャネルのうちの少なくとも１つの別のチャネルへ移動させる手段でありうるか、または、この手段を含みうる。前述した手段は、図１４のコントローラ／プロセッサ１４１０、ネットワーク・インタフェース１４１５、およびＷＷＡＮラジオ・モジュール１４１４、およびこれらの構成要素でありうるか、これらを含みうる。例えば、コントローラ／プロセッサ１４１０、ネットワーク・インタフェース１４１５、およびＷＷＡＮラジオ・モジュール１４１４は、移動局、および／または、移動局と通信しているネットワーク・エンティティに対して、スペクトルの複数のチャネルのうちの第１のチャネルで通信している移動局のすべての移動を調整するように指示しうる。
【００６２】
関連する態様では、装置１５００は、オプションとして、プロセッサとしてではなくネットワーク・エンティティとして構成されている場合、少なくとも１つのプロセッサを有するプロセッサ構成要素１５１０を含みうる。この場合、プロセッサ１５１０は、バス１５１２または類似の通信カップリングによって、構成要素１５０２−１５０４と動作可能に通信しうる。プロセッサ１５１０は、電子構成要素１５０２−１５０４によって実行される処理または機能の開始およびスケジューリングを有効にしうる。
【００６３】
さらに関連する態様では、装置１５００は、他の中央ネットワーク・エンティティと、あるいはｅＮＢ等とインタフェースおよび通信するためのネットワーク・インタフェース１５１５を含みうる。装置１５００は、ラジオ・トランシーバ構成要素１５１４を含みうる。トランシーバ１５１４の代わりに、あるいは、トランシーバ１５１４と連携して、スタンド・アロン受信機、および／または、スタンド・アロン送信機が使用されうる。装置１５００は、オプションとして、例えばメモリ・デバイス／構成要素１５１６のように、情報を格納するための構成要素を含みうる。コンピュータ読取可能な媒体またはメモリ構成要素１５１６が、バス１５１２等によって、装置１５００のその他の構成要素に動作可能に接続されうる。メモリ構成要素１５１６は、構成要素１５０２−１５０４、これらのサブ構成要素、またはプロセッサ１５１０、または、本明細書で開示された方法（例えば、図１１−１３に図示される方法１１００）およびその変形の処理および挙動を有効にするためのコンピュータ読取可能な命令群およびデータを格納するように適応されうる。メモリ構成要素１５１６は、電子構成要素１５０２−１５０４に関連付けられた機能を実行するための命令群を保持しうる。メモリ１５１６の外側にあるとして示されているが、構成要素１５０２−１５０８は、メモリ１５１６の内部に存在しうることが理解されるべきである。
【００６４】
本明細書に記載された実施形態のうちの１または複数の態様にしたがって、移動局等によって動作可能な、周波数スペクトル共有のための方法が提供される。例えば、この方法は、スペクトルの第１のチャネルで通信している間に、第１のチャネルにおける途絶によって、第１のチャネルで通信している他の各移動局とともに、スペクトルの第２のチャネルへ移動せよとのインジケーションを受信すること、を含みうる。この方法は、このインジケーションに応じて、第１のチャネルから第２のチャネルへ移動することを含みうる。関連する態様では、この方法はさらに、第１のチャネルの途絶終了に応じて、第１のチャネルへ戻ることを含みうる。
【００６５】
さらに関連する態様では、スペクトルの第２のチャネルが、スペクトルの第１のチャネル以外のオペレータへ割り当てられうる。第２のチャネルは、途絶によって影響されないスペクトルのチャネルから再割当された帯域幅を含みうる。第１のチャネルにおける途絶は、スペクトルの一次オペレータへの第１のチャネルの再割当によりうる。
【００６６】
周波数スペクトルを共有する無線通信システムのネットワーク周波数移動のためのいくつかのアーキテクチャおよび技術が開示されていることが認識されるだろう。開示された処理のステップの具体的な順序または階層は、典型的なアプローチの例であることが理解される。設計選択に基づいて、これら処理におけるステップの具体的な順序または階層は、本開示のスコープ内であることを保ちながら、再構成されうることが理解される。同伴する方法請求項は、さまざまなステップの要素を、サンプル順で示しており、示された具体的な順序または階層に限定されないことが意味される。
【００６７】
当業者であれば、情報および信号は、さまざまな異なる技術および技法のうちの何れかを用いて表されうることを理解するであろう。例えば、前述した説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００６８】
当業者であればさらに、本明細書で開示された実施形態に関連して記載された例示的なさまざまな論理ブロック、モジュール、回路、およびアルゴリズム・ステップは、電子的なハードウェア、コンピュータ・ソフトウェア、あるいはこれら両方の組み合わせとして実現されることを認識するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００６９】
本明細書に開示された実施形態に関連して記述されたさまざまな例示的な論理ブロック、モジュール、および回路（例えば、アイデンティファイヤ、アサイナ、送信機、およびアロケータ）は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）またはその他のプログラム可能論理デバイス、ディスクリートなゲートまたはトランジスタ・ロジック、ディスクリート・ハードウェア構成要素、または、本明細書に記載された機能を実行するように設計されたこれら任意の組み合わせ、によって実現または実施されうる。汎用プロセッサは、マイクロ・プロセッサでありうるが、代わりに、従来技術によるプロセッサ、コントローラ、マイクロコントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７０】
１または複数の典型的な実施形態では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして符号化されうる。コンピュータ読取可能な媒体は、コンピュータ記憶媒体を含む。記憶媒体は、コンピュータによってアクセスされうる利用可能な任意の媒体である。
【００７１】
例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。前述した組み合わせもまた、コンピュータ読取可能な媒体の範囲内に含まれるべきである。
【００７２】
開示された実施形態の前述した記載は、当業者をして、本開示の製造または利用を可能とするように提供される。これら実施形態に対するさまざまな変形例もまた、当業者には明らかであって、本明細書で定義された一般的な原理は、本開示の主旨または範囲から逸脱することなく他の例にも適用されうる。このように、本開示は、本明細書で示された実施形態に限定されるものではなく、本明細書で開示された原理および新規な特徴に一致した最も広い範囲に相当することが意図されている。
【００７３】
前述された典型的なシステムを考慮して、開示された主題にしたがって実現される方法が、さまざまなフロー図を参照して記述された。説明を単純にする目的のために、これら方法は、一連のブロックとして図示および説明されているが、権利主張される主題は、これらブロックの順序によって限定されず、いくつかのブロックは、本明細書に図示および記載されたものと別の順序で、および／または、他のブロックと同時に生じうることが理解および認識されるべきである。さらに、本明細書に記載された方法を実施するために、必ずしも例示されたすべてのブロックが必要とされる訳ではない。それに加えて、本明細書で開示される方法は、これら方法をコンピュータへ伝送および転送することを容易にするために、製造物品に格納されることが可能であることが認識されるべきである。本明細書で使用される用語である製造物品は、任意のコンピュータ読取可能なデバイス、キャリア、または媒体からアクセスすることが可能なコンピュータ・プログラムを含むことが意図される。
【００７４】
本明細書において参照によって組み込まれるべきであると言われるいずれの特許、出版物、またはその他の開示資料の全体または一部は、本明細書において、組み込まれた資料が、既存の定義、命令、または、本開示で述べられたその他の開示資料とコンフリクトしない程度に組み込まれていることが認識されるべきである。それゆえ、必要な程度まで、本明細書に明確に記載された開示は、参照によって本明細書に組み込まれたコンフリクトするあらゆる資料の代わりになる。本明細書において参照によって組み込まれると言われているものの既存の定義、記述、または、本明細書に記載されたその他の開示資料とコンフリクトする何れの資料またはその一部は、組み込まれた資料と既存の開示資料との間でのコンフリクトを引き起こさないという程度まで組み込まれるだろう。
以下に本件出願当初の特許請求の範囲を付記する。
［Ｃ１］
無線通信ネットワークにおいて中央ネットワーク・エンティティによって動作可能な方法であって、
スペクトルの複数のチャネルのうちの第１のチャネルにおける途絶を識別することと、ここで、前記複数のチャネルのおのおのは、複数のオペレータのうちの１つに割り当てられる、
前記途絶中、前記複数のチャネルのうちの第１のチャネルで通信しているすべての移動局を、前記複数のチャネルのうちの少なくとも１つの別のチャネルへ移動させることと、
を備える方法。
［Ｃ２］
前記すべての移動局を移動させることは、前記途絶によって影響されない複数のチャネルにわたって前記移動局のおのおのを均一に分布させることを備える、Ｃ１に記載の方法。
［Ｃ３］
前記複数のチャネルのうちの少なくとも１つの別のチャネルは、前記複数のチャネルのうちの第１のチャネル以外のオペレータに割り当てられる、Ｃ１に記載の方法。
［Ｃ４］
前記複数のチャネルのうちの第１のチャネルで通信している基地局の少なくともサブセットを、前記複数のチャネルのうちの少なくとも１つの別のチャネルへ移動させること、をさらに備えるＣ３に記載の方法。
［Ｃ５］
前記途絶によって影響されない複数のチャネルにわたって、前記基地局の少なくともサブセットを均一に分布させること、をさらに備えるＣ４に記載の方法。
［Ｃ６］
前記途絶によって影響されない複数のチャネルの帯域幅をスケールすることによって、前記少なくとも１つの別のチャネルを生成すること、をさらに備えるＣ１に記載の方法。
［Ｃ７］
前記第１のチャネルにおける途絶の終了に応じて、前記移動局のおのおのを前記第１のチャネルへ移動させること、をさらに備えるＣ１に記載の方法。
［Ｃ８］
前記途絶を識別することは、前記スペクトルの一次オペレータから、前記第１のチャネルを求める要求を受信することを備える、Ｃ１に記載の方法。
［Ｃ９］
前記すべての移動局を移動させることは、前記少なくとも１つの別のチャネルへ移動せよとのインジケーションを、前記移動局のおのおのへ送信することを備える、Ｃ１に記載の方法。
［Ｃ１０］
前記中央ネットワーク・エンティティは、オペレーション、アドミニストレーション、およびメンテナンス（ＯＡＭ）サーバを備える、Ｃ１に記載の方法。
［Ｃ１１］
無線通信のための装置であって、
スペクトルの複数のチャネルのうちの第１のチャネルにおける途絶を識別することと、ここで、前記複数のチャネルのおのおのは、複数のオペレータのうちの１つに割り当てられる、
前記途絶中、前記複数のチャネルのうちの第１のチャネルで通信しているすべての移動局を、前記複数のチャネルのうちの少なくとも１つの別のチャネルへ移動させることと、
を実行するように構成された少なくとも１つのプロセッサと、
前記少なくとも１つのプロセッサに接続され、データを格納するためのメモリと、
を備える装置。
［Ｃ１２］
前記少なくとも１つのプロセッサはさらに、前記途絶によって影響されない複数のチャネルにわたって前記移動局のおのおのを均一に分布させるように構成された、Ｃ１１に記載の装置。
［Ｃ１３］
前記複数のチャネルのうちの少なくとも１つの別のチャネルは、前記複数のチャネルのうちの第１のチャネル以外のオペレータに割り当てられる、Ｃ１１に記載の装置。
［Ｃ１４］
前記少なくとも１つのプロセッサはさらに、前記複数のチャネルのうちの第１のチャネルで通信している基地局の少なくともサブセットを、前記複数のチャネルのうちの少なくとも１つの別のチャネルへ移動させるように構成された、Ｃ１３に記載の装置。
［Ｃ１５］
前記少なくとも１つのプロセッサはさらに、前記途絶によって影響されない複数のチャネルにわたって、前記基地局の少なくともサブセットを均一に分布させるように構成された、Ｃ１４に記載の装置。
［Ｃ１６］
無線通信のための装置であって、
スペクトルの複数のチャネルのうちの第１のチャネルにおける途絶を識別する手段と、ここで、前記複数のチャネルのおのおのは、複数のオペレータのうちの１つに割り当てられる、
前記途絶中、前記複数のチャネルのうちの第１のチャネルで通信しているすべての移動局を、前記複数のチャネルのうちの少なくとも１つの別のチャネルへ移動させる手段と、
を備える装置。
［Ｃ１７］
前記途絶によって影響されない複数のチャネルにわたって前記移動局のおのおのを均一に分布させる手段、をさらに備えるＣ１６に記載の装置。
［Ｃ１８］
前記複数のチャネルのうちの少なくとも１つの別のチャネルは、前記複数のチャネルのうちの第１のチャネル以外のオペレータに割り当てられる、Ｃ１６に記載の装置。
［Ｃ１９］
コンピュータ・プログラム製品であって、
スペクトルの複数のチャネルのうちの第１のチャネルにおける途絶を識別することと、ここで、前記複数のチャネルのおのおのは、複数のオペレータのうちの１つに割り当てられる、
前記途絶中、前記複数のチャネルのうちの第１のチャネルで通信しているすべての移動局を、前記複数のチャネルのうちの少なくとも１つの別のチャネルへ移動させることと、
をコンピュータに実行させるためのコードを備える非一時的な記憶媒体を備える、コンピュータ・プログラム製品。
［Ｃ２０］
前記非一時的な記憶媒体はさらに、前記コンピュータに対して、前記途絶によって影響されない複数のチャネルにわたって前記移動局のおのおのを均一に分布させるためのコードを備える、Ｃ１９に記載のコンピュータ・プログラム製品。
［Ｃ２１］
前記複数のチャネルのうちの少なくとも１つの別のチャネルは、前記複数のチャネルのうちの第１のチャネル以外のオペレータに割り当てられる、Ｃ１９に記載のコンピュータ・プログラム製品。
【図１】
0005694606.tif 000002
【図２】
0005694606.tif 000003
【図６】
0005694606.tif 000004
【図７】
0005694606.tif 000005
【図８】
0005694606.tif 000006
【図９】
0005694606.tif 000007
【図１０】
0005694606.tif 000008
【図１１】
0005694606.tif 000009
【図１２】
0005694606.tif 000010
【図１３】
0005694606.tif 000011
【図１４】
0005694606.tif 000012
【図１５】
0005694606.tif 000013
【図３】
0005694606.tif 000014
【図４】
0005694606.tif 000015
【図５】
0005694606.tif 000016